(57)【要約】【課題】畳床の裁断装置の裁断刃、特に、移動機構の上流側にある垂直裁断刃が摩耗損傷することがなく、頻繁に下流側にある垂直裁断刃を新しいものと交換したり、刃を研ぎ直す頻度が少なく、煩雑な作業が不要でコストも低減できる畳床の裁断装置を提供する。【解決手段】畳床１００の框１０２側の裁断方向Ａにおいて、上流側に配置され、畳床１００を断面視で、内側に傾斜した傾斜面１１２で裁断する傾斜裁断刃１６と、畳床１００の框１０２側の裁断方向Ａにおいて、傾斜裁断刃１６の下流側に配置され、傾斜裁断刃１６による傾斜裁断の後、畳床１００を断面視で、上方を鉛直方向に垂直面１０８で裁断する垂直裁断刃１４とを備えている。【選択図】図１
2019025590.tif 000002
【特許請求の範囲】
【請求項１】
畳床の框側を断面視で、上方を鉛直方向に垂直面で裁断するとともに、畳床を断面視で、下方を内側に傾斜した傾斜面で裁断する畳床の裁断方法であって、
畳床の框側の裁断方向において、上流側に配置される傾斜裁断刃によって、畳床を断面視で、内側に傾斜した傾斜面で裁断する傾斜裁断した後、
畳床の框側の裁断方向において、前記傾斜裁断刃の下流側に配置される垂直裁断刃によって、畳床を断面視で、上方を鉛直方向に垂直面で裁断する垂直裁断を行うことを特徴とする畳床の裁断方法。
【請求項２】
前記傾斜裁断刃による傾斜裁断において、畳床の断面視で傾斜裁断の上端位置が、畳床の框側の最終裁断寸法位置の外側に位置するように裁断することを特徴とする請求項１に記載の畳床の裁断方法。
【請求項３】
前記垂直裁断刃による垂直裁断において、畳床の断面視で垂直裁断の上端位置が、畳床の框側の最終裁断寸法位置に位置するように裁断することを特徴とする請求項１から２のいずれかに記載の畳床の裁断方法。
【請求項４】
前記傾斜裁断刃が、チップソー、ナイフ刃、または、八角刃から構成されていることを特徴とする請求項１から３のいずれかに記載の畳床の裁断方法。
【請求項５】
前記垂直裁断刃が、チップソー、ナイフ刃、または、八角刃から構成されていることを特徴とする請求項１から４のいずれかに記載の畳床の裁断方法。
【請求項６】
畳床の框側を断面視で、上方を鉛直方向に垂直面で裁断するとともに、畳床を断面視で、下方を内側に傾斜した傾斜面で裁断する畳床の裁断装置であって、
畳床の框側の裁断方向において、上流側に配置され、畳床を断面視で、内側に傾斜した傾斜面で裁断する傾斜裁断刃と、
前記畳床の框側の裁断方向において、前記傾斜裁断刃の下流側に配置され、前記傾斜裁断刃による傾斜裁断の後、畳床を断面視で、上方を鉛直方向に垂直面で裁断する垂直裁断刃とを備えていることを特徴とする畳床の裁断装置。
【請求項７】
前記傾斜裁断刃による傾斜裁断において、畳床の断面視で傾斜裁断の上端位置が、畳床の框側の最終裁断寸法位置の外側に位置するように裁断することを特徴とする請求項６に記載の畳床の裁断装置。
【請求項８】
前記垂直裁断刃による垂直裁断において、畳床の断面視で垂直裁断の上端位置が、畳床の框側の最終裁断寸法位置に位置するように裁断することを特徴とする請求項６から７のいずれかに記載の畳床の裁断装置。
【請求項９】
前記傾斜裁断刃が、チップソー、ナイフ刃、または、八角刃から構成されていることを特徴とする請求項６から８のいずれかに記載の畳床の裁断装置。
【請求項１０】
前記垂直裁断刃が、チップソー、ナイフ刃、または、八角刃から構成されていることを特徴とする請求項６から９のいずれかに記載の畳床の裁断装置。
【発明の詳細な説明】
【技術分野】
【０００１】
本発明は、例えば、縁無し畳、縁付き畳などの畳に用いる畳床の裁断方法、および、畳床の裁断装置に関する。
【０００２】
より詳細には、本発明は、特に、畳を敷き詰める部屋の敷居の形状に応じて、畳床の框側を上面視で、くの字状、または、逆くの字状に凸凹形状に、かつ、畳床を断面視で、上方を鉛直方向に垂直面で、下方を内側に傾斜した傾斜面で、畳床を裁断するための畳床の裁断方法、および、畳床の裁断装置に関する。
【背景技術】
【０００３】
従来、畳を製造する際には、畳表を縫い付ける前、または、畳表を張り付ける前に、畳床の裁断装置によって、畳床の框を所定の寸法に裁断している。
【０００４】
すなわち、従来の畳床の裁断装置１０では、図１１に示したように、上面視で、畳床１００の框１０２側（すなわち、短辺側）は、框１０２側の一方側１０２ａ（敷居側と反対側）は、畳床押さえ部材１１４で押さえた状態で、畳床１００の裁断方向Ａにおいて、真っ直ぐ裁断している。
【０００５】
一方、框１０２側の他方側１０２ｂ（敷居側）は、畳を敷き詰める部屋の敷居側に配置されるため、畳を敷き詰める部屋の敷居の形状に応じて、畳床押さえ部材１１４で押さえた状状態で、畳床１００の裁断方向Ａにおいて、例えば、図１１に示したように、上面視で、内側に傾斜した状態となるようにしている。
【０００６】
この場合、図１２に示したように、框１０２側の裁断は、畳を敷き詰めやすいように、断面視で、畳床１００を上方を鉛直方向に垂直面１０８で、下方を内側に傾斜した傾斜面１１２で、畳床１００を裁断するようになっている。
【０００７】
このような裁断では、図１２に示したように、傾斜角度αは、厚みの厚い畳を製造する場合（例えば、厚さ３０ｍｍ〜６０ｍｍ）には、畳床１００の垂直面１０８に対して、畳床１００を約８°の傾斜角度αで裁断している。
【０００８】
一方、厚みの薄い畳（例えば、厚さ１０ｍｍ〜３０ｍｍ未満）の場合には、畳床１００の垂直面１０８に対して、畳床１００を約１３°の傾斜角度αで裁断している。
【０００９】
そして、このように裁断した畳床１００に対して、框１０２側において、畳表を藺草の方向と垂直な方向に折り曲げて、縫い付けて畳を製造している。なお、畳表の畳床１００への固定方法としては、このような縫い付け方法以外に、例えば、接着、樹脂による接着、金属または樹脂製のステープルを打ち付ける固定方法など、種々の方法がある。
【００１０】
このような従来の畳床の裁断装置としては、例えば、特許文献１（特許第５１２０９３５号公報）、特許文献２（特開２０１１−９９２１５号公報）に開示されるような畳床の裁断装置が開示されている。
【００１１】
図１３は、従来の畳床の裁断装置２００の構造を模式的に示す概略図であり、図１３の概略図に示したように、畳床１００の裁断方向Ａにおいて、畳床の裁断装置２００のフレームに対して、畳床１００の裁断方向Ａに移動可能な移動機構２０２が設けられている。
【００１２】
そして、この移動機構２０２には、畳床１００の裁断方向Ａに対して、上流側には、小刃である垂直裁断刃２０４が設けられているとともに、垂直裁断刃２０４の下流側には、大刃である傾斜裁断刃２０６が設けられている。
【００１３】
なお、図１３では、垂直裁断刃２０４として、回転する八角刃が示されており、傾斜裁断刃２０６として、回転する回転刃が示されている。
【００１４】
しかしながら、従来より、垂直裁断刃２０４として、回転する八角刃以外にも、ナイフ刃が使用され、また、傾斜裁断刃２０６として、回転刃として、チップソー、また、ナイフ刃が使用されている。
【００１５】
このように構成される従来の畳床の裁断装置２００では、図１４（Ａ）の断面図に示したように、畳床１００の裁断方向Ａにおいて、上流側に設けた垂直裁断刃２０４により、畳床１００の上方に鉛直方向に垂直面１０８が形成されるように裁断している。
【００１６】
その後、図１４（Ｂ）に示したように、畳床１００の裁断方向Ａにおいて、下流側に設けた傾斜裁断刃２０６によって、畳床１００の垂直面１０８に対して、畳床１００を傾斜角度αで裁断することにより、畳床１００の下方を内側に傾斜した傾斜面１１２で裁断している。
【００１７】
これにより、図１４（Ｃ）に示したように、断面視で、畳床１００を上方を鉛直方向に垂直面１０８で、下方を内側に傾斜した傾斜面１１２で、畳床１００を裁断するようになっている。
【先行技術文献】
【特許文献】
【００１８】
【特許文献１】特許第５１２０９３５号公報
【特許文献２】特開２０１１−９９２１５号公報
【特許文献３】特開２０１５−１２１０６６号公報
【発明の概要】
【発明が解決しようとする課題】
【００１９】
ところで、特許文献３（特開２０１５−１２１０６６号公報）に開示されるように、図１５に示したように、畳床１００の框１０２側の他方側１０２ｂ（敷居側）は、畳を敷き詰める部屋の敷居側に配置されるため、畳を敷き詰める部屋の敷居の形状に応じて、畳床１００の框１０２側を上面視で、小間中Ｂで、くの字状（図１５（Ａ）参照）、または、逆くの字状（図１５（Ｂ）参照）に凸凹形状に裁断することが行われている。
【００２０】
しかしながら、従来の畳床の裁断装置２００では、例えば、図１６に示したように、畳床１００の框１０２側の他方側１０２ｂ（敷居側）を、小間中Ｂで、くの字状に切断する際には、以下のように、裁断することが行われている。
【００２１】
すなわち、図１７に示したように、畳床押さえ部材２１４で押さえた状態で、畳床１００の裁断方向Ａに対して、上流側の垂直裁断刃２０４と、下流側の傾斜裁断刃２０６を備えた移動機構２０２を、畳床１００の幅方向の一方側（例えば、下前側１００ａ）から、畳床１００の裁断方向Ａに内側方向に移動しながら、切断ラインＣに沿って移動して裁断を行っている。
【００２２】
そして、小間中Ｂで、反転して、移動機構２０２を、畳床１００の幅方向の一方側（例えば、下前側１００ａ）から、畳床１００の幅方向の他方側（例えば、上前側１００ｂ）に向かって、畳床１００の裁断方向Ａに外側方向に移動しながら、切断ラインＤに沿って移動して裁断を行っている。
【００２３】
この場合、小間中Ｂで、反転して、畳床１００の裁断方向Ａに外側方向に移動しながら、切断ラインＤに沿って移動して裁断を行うので、裁断刃、特に、移動機構２０２の上流側にある垂直裁断刃２０４が摩耗損傷することが多くなっている。
【００２４】
特に、昨今では、図１８に示したように、畳床１００は、畳床本体を構成する硬質のインシュレーションボード１２０、インシュレーションボード１２０の上層に積層したアルミ板１２２、不織布１２４などの積層状態で構成されているので、移動機構２０２の上流側にある垂直裁断刃２０４が摩耗損傷することが特に多くなっている。
【００２５】
従って、頻繁に上流側にある垂直裁断刃２０４を新しいものと交換したり、刃を研ぎ直す必要があり、煩雑な作業が必要でコストも高くつくことになっている。
【００２６】
また、このように摩耗損傷したままで裁断を行う場合には、畳床１００の垂直面１０８に凹凸が生じて、裁断後の畳床１００に藺草を折り曲げ、縫着する際に、畳表の表面側からでも上記の凹凸が見えてしまうなどの品質上の支障をきたし、製品の品質、価値が低下することにもなる。
【００２７】
本発明は、このような現状に鑑み、畳を敷き詰める部屋の敷居の形状に応じて、畳床の框側を上面視で、くの字状、または、逆くの字状に凸凹形状に、かつ、畳床を断面視で、上方を鉛直方向に垂直面で、下方を内側に傾斜した傾斜面で、畳床を裁断する際に、畳床の裁断装置の裁断刃、特に、移動機構の上流側にある垂直裁断刃が摩耗損傷することがなく、頻繁に下流側にある垂直裁断刃を新しいものと交換したり、刃を研ぎ直す頻度が少なく、煩雑な作業が不要でコストも低減できる畳床の裁断方法、および、畳床の裁断装置を提供することを目的とする。
【００２８】
また、本発明は、畳床の垂直面に凹凸が生じて、裁断後の畳床に藺草を折り曲げ、縫着する際に、支障をきたすことがなく、製品の品質、価値が低下することのない畳床の裁断方法、および、畳床の裁断装置を提供することを目的とする。
【課題を解決するための手段】
【００２９】
本発明は、前述したような従来技術における課題及び目的を達成するために発明されたものであって、本発明の畳床の裁断方法は、
畳床の框側を断面視で、上方を鉛直方向に垂直面で裁断するとともに、畳床を断面視で、下方を内側に傾斜した傾斜面で裁断する畳床の裁断方法であって、
畳床の框側の裁断方向において、上流側に配置される傾斜裁断刃によって、畳床を断面視で、内側に傾斜した傾斜面で裁断する傾斜裁断した後、
畳床の框側の裁断方向において、前記傾斜裁断刃の下流側に配置される垂直裁断刃によって、畳床を断面視で、上方を鉛直方向に垂直面で裁断する垂直裁断を行うことを特徴とする。
【００３０】
また、本発明の畳床の裁断装置は、
畳床の框側を断面視で、上方を鉛直方向に垂直面で裁断するとともに、畳床を断面視で、下方を内側に傾斜した傾斜面で裁断する畳床の裁断装置であって、
畳床の框側の裁断方向において、上流側に配置され、畳床を断面視で、内側に傾斜した傾斜面で裁断する傾斜裁断刃と、
前記畳床の框側の裁断方向において、前記傾斜裁断刃の下流側に配置され、前記傾斜裁断刃による傾斜裁断の後、畳床を断面視で、上方を鉛直方向に垂直面で裁断する垂直裁断刃とを備えていることを特徴とする。
【００３１】
このように構成することによって、畳を敷き詰める部屋の敷居の形状に応じて、畳床の框側を上面視で、くの字状、または、逆くの字状に凸凹形状に、かつ、畳床を断面視で、上方を鉛直方向に垂直面で、下方を内側に傾斜した傾斜面で、畳床を裁断する際に、最初に畳床の框側の裁断方向において、上流側に配置される傾斜裁断刃によって、畳床を断面視で、内側に傾斜した傾斜面で裁断する傾斜裁断が行われる。
【００３２】
その後に、この傾斜裁断された傾斜面において、傾斜裁断刃の下流側に配置される垂直裁断刃によって、畳床を断面視で、上方を鉛直方向に垂直面で裁断する垂直裁断が行われる。
【００３３】
従って、垂直裁断刃によって、寸法決めを行うために、畳床を断面視で、上方を鉛直方向に垂直面で裁断する垂直裁断を行う際には、既に、比較的大きく大刃である、強度の高い傾斜裁断刃により、畳床を断面視で、内側に傾斜した傾斜面で裁断する傾斜裁断が行われている。
【００３４】
これにより、比較的小さい、小刃である垂直裁断刃による垂直裁断によって、畳床の框側の最終裁断寸法位置で正確に裁断することができる。
【００３５】
また、比較的小さく、強度の弱い小刃である垂直裁断刃が摩耗損傷することがなく、頻繁に下流側にある垂直裁断刃を新しいものと交換したり、刃を研ぎ直す頻度が少なく、煩雑な作業が不要でコストも低減できる。
【００３６】
さらに、小刃である垂直裁断刃が摩耗損傷することがなく、畳床の垂直面に凹凸が生じず、裁断後の畳床に藺草を折り曲げ、縫着する際に、支障をきたすことがなく、製品の品質、価値が低下することがない。
【００３７】
また、本発明は、前記傾斜裁断刃による傾斜裁断において、畳床の断面視で傾斜裁断の上端位置が、畳床の框側の最終裁断寸法位置の外側に位置するように裁断することを特徴とする。
【００３８】
このように構成することによって、傾斜裁断刃による傾斜裁断において、畳床の断面視で傾斜裁断の上端位置が、畳床の框側の最終裁断寸法位置の外側に位置するので、傾斜裁断刃による傾斜裁断の後に行われる垂直裁断刃による垂直裁断において、畳床の框側の最終裁断寸法位置で正確に裁断することができる。
【００３９】
また、本発明は、前記垂直裁断刃による垂直裁断において、畳床の断面視で垂直裁断の上端位置が、畳床の框側の最終裁断寸法位置に位置するように裁断することを特徴とする。
【００４０】
このように構成することによって、傾斜裁断刃による傾斜裁断の後に行われる垂直裁断刃による垂直裁断において、畳床の框側の最終裁断寸法位置で正確に裁断することができる。
【００４１】
また、本発明は、前記傾斜裁断刃が、チップソー、ナイフ刃、または、八角刃から構成されていることを特徴とする。
【００４２】
このように、傾斜裁断刃として、チップソー、ナイフ刃、または、八角刃から構成することができる。
【００４３】
この場合、特に、傾斜裁断刃が、回転刃として、摩耗損傷に強いチップソーから構成されていれば、比較的大きい大刃がである傾斜裁断刃が、その強度が高くなるので、傾斜裁断刃が摩耗損傷することがなく、畳床の傾斜面に凹凸が生じず、裁断後の畳床に藺草を折り曲げ、縫着する際に、支障をきたすことがなく、製品の品質、価値が低下することがない。
【００４４】
また、本発明は、前記垂直裁断刃が、チップソー、ナイフ刃、または、八角刃から構成されていることを特徴とする。
【００４５】
このように、垂直裁断刃として、チップソー、ナイフ刃、または、八角刃から構成することができる。
【００４６】
この場合、特に、垂直裁断刃が、回転刃として、摩耗損傷に強いチップソーから構成されていれば、比較的小さい小刃である垂直裁断刃が、その強度が高くなるので、摩耗損傷することがなく、畳床の垂直面に凹凸が生じず、裁断後の畳床に藺草を折り曲げ、縫着する際に、支障をきたすことがなく、製品の品質、価値が低下することがない。
【発明の効果】
【００４７】
本発明によれば、畳を敷き詰める部屋の敷居の形状に応じて、畳床の框側を上面視で、くの字状、または、逆くの字状に凸凹形状に、かつ、畳床を断面視で、上方を鉛直方向に垂直面で、下方を内側に傾斜した傾斜面で、畳床を裁断する際に、最初に畳床の框側の裁断方向において、上流側に配置される傾斜裁断刃によって、畳床を断面視で、内側に傾斜した傾斜面で裁断する傾斜裁断が行われる。
【００４８】
その後に、この傾斜裁断された傾斜面において、傾斜裁断刃の下流側に配置される垂直裁断刃によって、畳床を断面視で、上方を鉛直方向に垂直面で裁断する垂直裁断が行われる。
【００４９】
従って、垂直裁断刃によって、寸法決めを行うために、畳床を断面視で、上方を鉛直方向に垂直面で裁断する垂直裁断を行う際には、既に、比較的大きく大刃である、強度の高い傾斜裁断刃により、畳床を断面視で、内側に傾斜した傾斜面で裁断する傾斜裁断が行われている。
【００５０】
これにより、比較的小さい、小刃である垂直裁断刃による垂直裁断によって、畳床の框側の最終裁断寸法位置で正確に裁断することができる。
【００５１】
また、比較的小さく、強度の弱い小刃である垂直裁断刃が摩耗損傷することがなく、頻繁に下流側にある垂直裁断刃を新しいものと交換したり、刃を研ぎ直す頻度が少なく、煩雑な作業が不要でコストも低減できる。
【００５２】
さらに、小刃である垂直裁断刃が摩耗損傷することがなく、畳床の垂直面に凹凸が生じず、裁断後の畳床に藺草を折り曲げ、縫着する際に、支障をきたすことがなく、製品の品質、価値が低下することがない。
【図面の簡単な説明】
【００５３】
【図１】図１は、本発明の畳床の裁断装置の概略を模式的に示す正面図である。
【図２】図２は、本発明の畳床の裁断装置によって畳床を裁断する状態を説明する上面図である。
【図３】図３は、本発明の畳床の裁断装置によって畳床を裁断する状態を説明する部分拡大上面図である。
【図４】図４は、本発明の畳床の裁断装置によって畳床を裁断する状態を説明する畳床の部分拡大断面図である。
【図５】図５は、本発明の畳床の裁断装置１０の概略を模式的に示す部分拡大上面図である。
【図６】図６は、本発明の畳床の裁断装置１０の別の実施例の概略を模式的に示す部分拡大上面図である。
【図７】図７は、本発明の畳床の裁断装置１０の別の実施例の概略を模式的に示す図１と同様な正面図である。
【図８】図８は、本発明の畳床の裁断装置１０の別の実施例の概略を模式的に示す図１と同様な正面図である。
【図９】図９は、本発明の畳床の裁断装置１０の別の実施例の概略を模式的に示す部分拡大上面図である。
【図１０】図１０は、本発明の畳床の裁断装置によって畳床を裁断する状態を説明する図４と同様な畳床の部分拡大断面図である。
【図１１】図１１は、従来の畳床の裁断装置によって畳床を裁断する状態を説明する上面図である。
【図１２】図１２は、従来の畳床の裁断装置によって畳床を裁断する状態を説明する畳床の部分拡大断面図である。
【図１３】図１３は、従来の畳床の裁断装置２００の構造を模式的に示す概略図である。
【図１４】図１４は、従来の畳床の裁断装置２００によって畳床を裁断する状態を説明する畳床の部分拡大断面図である。
【図１５】図１５は、従来の畳床の裁断装置によって畳床を裁断する状態を説明する上面図である。
【図１６】図１６は、従来の畳床の裁断装置２００によって畳床を裁断する状態を説明する上面図である。
【図１７】図１７は、従来の畳床の裁断装置２００によって畳床を裁断する状態を説明する上面図である。
【図１８】畳床１００の部分拡大断面図である。
【発明を実施するための形態】
【００５４】
以下、本発明の実施の形態（実施例）を図面に基づいてより詳細に説明する。
（実施例１）
【００５５】
図１は、本発明の畳床の裁断装置の概略を模式的に示す正面図、図２は、本発明の畳床の裁断装置によって畳床を裁断する状態を説明する上面図、図３は、本発明の畳床の裁断装置によって畳床を裁断する状態を説明する部分拡大上面図、図４は、本発明の畳床の裁断装置によって畳床を裁断する状態を説明する畳床の部分拡大断面図、図５は、本発明の畳床の裁断装置１０の概略を模式的に示す部分拡大上面図である。
【００５６】
図１〜図２において、符号１０は、全体で本発明の畳床の裁断装置を示している。
【００５７】
本発明の畳床の裁断装置１０は、特に、図１５に示したように、畳床１００の框１０２側の他方側１０２ｂ（敷居側）は、畳を敷き詰める部屋の敷居側に配置されるため、畳を敷き詰める部屋の敷居の形状に応じて、畳床１００の框１０２側を上面視で、小間中Ｂで、くの字状（図１５（Ａ）参照）、または、逆くの字状（図１５（Ｂ）参照）に凸凹形状に裁断するための畳床の裁断装置である。
【００５８】
しかしながら、図１１に示したように、上面視で、畳床１００の框１０２側（すなわち、短辺側）は、框１０２側の一方側１０２ａ（敷居側と反対側）は、畳床押さえ部材１０４ａで押さえた状態で、畳床１００の裁断方向Ａにおいて、真っ直ぐ裁断する場合にも適用することができる。
【００５９】
また、框１０２側の他方側１０２ｂ（敷居側）は、畳を敷き詰める部屋の敷居側に配置されるため、畳を敷き詰める部屋の敷居の形状に応じて、畳床押さえ部材１１４で押さえた状態で、畳床１００の裁断方向Ａにおいて、図１１に示したように、上面視で、内側に傾斜した状態となるよう裁断する場合にも適用することができることはもちろんである。
【００６０】
この実施例の畳床の裁断装置１０は、図１に示したように、畳床１００の裁断方向Ａにおいて、畳床の裁断装置の図示しないフレームに対して、畳床１００の裁断方向Ａに移動可能な移動機構１２を備えている。
【００６１】
この移動機構１２には、畳床１００の裁断方向Ａに対して、上流側に、大刃である傾斜裁断刃１６が設けられている。
【００６２】
この場合、傾斜裁断刃１６として、チップソー、ナイフ刃、または、八角刃から構成することができる。特に、傾斜裁断刃１６が、回転刃として、摩耗損傷に強いチップソーから構成されていれば、比較的大きい大刃がである傾斜裁断刃１６が、その強度が高くなるので、傾斜裁断刃１６が摩耗損傷することがなく、畳床１００の傾斜面１１２に凹凸が生じず、裁断後の畳床１００に藺草を折り曲げ、縫着する際に、支障をきたすことがなく、製品の品質、価値が低下することがない。
【００６３】
さらに、大刃である傾斜裁断刃１６の下流側には、小刃である垂直裁断刃１４が設けられている。この場合、垂直裁断刃１４として、チップソー、ナイフ刃、または、八角刃から構成することができる。
【００６４】
この場合、特に、垂直裁断刃１４が、回転刃として、摩耗損傷に強いチップソーから構成されていれば、比較的小さい小刃である垂直裁断刃が、その強度が高くなるので、摩耗損傷することがなく、畳床１００の垂直面１０８に凹凸が生じず、裁断後の畳床１００に藺草を折り曲げ、縫着する際に、支障をきたすことがなく、製品の品質、価値が低下することがない。
【００６５】
このように構成される本発明の畳床の裁断装置１０では、図４（Ａ）の断面図に示したように、畳床１００の裁断方向Ａにおいて、上流側に設けた傾斜裁断刃１６によって、畳床１００の鉛直仮想線１０１に対して、畳床１００を傾斜角度αで裁断することにより、畳床１００を内側に傾斜した傾斜面１１２で裁断している。
【００６６】
この場合、傾斜裁断刃１６による傾斜裁断において、畳床１００の断面視で傾斜裁断の上端位置Ｐが、畳床１００の框１０２側の最終裁断寸法位置Ｑの外側に位置するように裁断している。
【００６７】
このように構成することによって、傾斜裁断刃１６による傾斜裁断において、畳床１００の断面視で傾斜裁断の上端位置Ｐが、畳床１００の框１０２側の最終裁断寸法位置Ｑの外側に位置するので、傾斜裁断刃１６による傾斜裁断の後に行われる垂直裁断刃１４よる垂直裁断において、畳床１００の框１０２側の最終裁断寸法位置Ｑで正確に裁断することができる。
【００６８】
その後、図４（Ｂ）〜図４（Ｃ）に示したように、畳床１００の裁断方向Ａにおいて、下流側に設けた垂直裁断刃１４により、畳床１００の上方に、鉛直方向に垂直面１０８が形成されるように裁断される。
【００６９】
この場合、垂直裁断刃１４よる垂直裁断において、畳床１００の断面視で垂直裁断の上端位置Ｒが、畳床１００の框１０２側の最終裁断寸法位置Ｑに位置するように裁断している。
【００７０】
すなわち、図５に示したように、移動機構１２には、上流側に、大刃である傾斜裁断刃１６が設けられ、大刃である傾斜裁断刃１６の下流側には、小刃である垂直裁断刃１４が設けられている。
【００７１】
この場合、傾斜裁断刃１６は、畳床１００の断面視で傾斜裁断の上端位置Ｐが、畳床１００の框１０２側の最終裁断寸法位置Ｑの外側に位置する。
【００７２】
また、垂直裁断刃１４は、傾斜裁断刃１６よりも、畳床１００の框１０２方向に内側に位置して、畳床１００の断面視で垂直裁断の上端位置が、畳床１００の框１０２側の最終裁断寸法位置Ｑに位置するように配置されている。
【００７３】
さらに、この場合、垂直裁断刃１４は、最終裁断寸法位置Ｑの位置を調整するために、図５の矢印に示したように、図示しない移動機構によって、傾斜裁断刃１６に対して離接する方向に移動可能な構成としても良い。
【００７４】
このように構成することによって、傾斜裁断刃１６による傾斜裁断の後に行われる垂直裁断刃１４による垂直裁断において、畳床１００の框１０２側の最終裁断寸法位置Ｑで正確に裁断することができる。
【００７５】
また、本発明の畳床の裁断装置１０では、例えば、図２に示したように、畳床１００の框１０２側の他方側１０２ｂ（敷居側）を、小間中Ｂで、くの字状に切断する際には、以下のように、裁断することが行われている。
【００７６】
すなわち、図３に示したように、畳床押さえ部材２４で押さえた状態で、畳床１００の裁断方向Ａに対して、上流側の傾斜裁断刃１６と、下流側の垂直裁断刃１４を備えた移動機構１２を、畳床１００の幅方向の一方側（例えば、下前側１００ａ）から、畳床１００の裁断方向Ａに内側方向に移動しながら、切断ラインＣに沿って移動して裁断を行っている。
【００７７】
そして、小間中Ｂで、反転して、移動機構１２を、畳床１００の幅方向の一方側（例えば、下前側１００ａ）から、畳床１００の幅方向の他方側（例えば、上前側１００ｂ）に向かって、畳床１００の裁断方向Ａに外側方向に移動しながら、切断ラインＤに沿って移動して裁断を行っている。
【００７８】
なお、図３に示したように、移動機構１２の垂直裁断刃１４、傾斜裁断刃１６は、畳床１００の裁断方向Ａに対して、内側に傾斜するように設けられている。
この場合、図３は、あくまで、これらの移動機構１２の垂直裁断刃１４、傾斜裁断刃１６の傾斜状態を模式的に示している。
従って、実際には、切断を行うために、切断ラインＣの傾斜角度に対して、垂直裁断刃１４、傾斜裁断刃１６は、畳床１００の裁断方向Ａに対して、より内側に傾斜するように設けられている。
【００７９】
この場合、従来の畳床の裁断装置２００では、小間中Ｂで、反転して、畳床１００の裁断方向Ａに外側方向に移動しながら、切断ラインＤに沿って移動して裁断を行うので、裁断刃、特に、移動機構２０２の上流側にある垂直裁断刃２０４が摩耗損傷することが多くなっている。
【００８０】
特に、昨今では、図１８に示したように、畳床１００は、硬質のインシュレーションボード、アルミ板、不織布などの積層状態で構成されているので、移動機構２０２の上流側にある垂直裁断刃２０４が摩耗損傷することが特に多くなっている。
【００８１】
従って、頻繁に上流側にある垂直裁断刃２０４を新しいものと交換したり、刃を研ぎ直す必要があり、煩雑な作業が必要でコストも高くつくことになっている。
【００８２】
また、このように摩耗損傷したままで裁断を行う場合には、畳床１００の垂直面１０８に凹凸が生じて、裁断後の畳床１００に藺草を折り曲げ、縫着する際に、支障をきたし、製品の品質、価値が低下することにもなる。
【００８３】
これに対して、本発明の畳床の裁断装置１０では、畳を敷き詰める部屋の敷居の形状に応じて、畳床１００の框１０２側を上面視で、小間中Ｂで、くの字状（図１５（Ａ）参照）、または、逆くの字状（図１５（Ｂ）参照）に凸凹形状に裁断する場合に好適である。
【００８４】
すなわち、図４（Ａ）の断面図に示したように、最初に畳床１００の框１０２側の裁断方向において、上流側に配置される傾斜裁断刃１６によって、畳床１００を断面視で、内側に傾斜した傾斜面１１２で裁断する傾斜裁断が行われる。
【００８５】
その後に、図４（Ｂ）〜図４（Ｃ）に示したように、この傾斜裁断された傾斜面１１２において、傾斜裁断刃１６の下流側に配置される垂直裁断刃１４によって、畳床１００を断面視で、上方を鉛直方向に垂直面１０８で裁断する垂直裁断が行われる。
【００８６】
従って、垂直裁断刃１４によって、寸法決めを行うために、畳床１００を断面視で、上方を鉛直方向に垂直面１０８で裁断する垂直裁断を行う際には、既に、比較的大きく大刃である、強度の高い傾斜裁断刃１６により、畳床１００を断面視で、内側に傾斜した傾斜面１１２で裁断する傾斜裁断が行われている。
【００８７】
これにより、比較的小さい、小刃である垂直裁断刃１４による垂直裁断によって、畳床１００の框１０２側の最終裁断寸法位置Ｑで正確に裁断することができる。
【００８８】
また、比較的小さく、強度の弱い小刃である垂直裁断刃１４が摩耗損傷することがなく、頻繁に下流側にある垂直裁断刃１４を新しいものと交換したり、刃を研ぎ直す頻度が少なく、煩雑な作業が不要でコストも低減できる。
【００８９】
さらに、小刃である垂直裁断刃１４が摩耗損傷することがなく、畳床１００の垂直面１０８に凹凸が生じず、裁断後の畳床１００に藺草を折り曲げ、縫着する際に、支障をきたすことがなく、製品の品質、価値が低下することがない。
（実施例２）
【００９０】
図６は、本発明の畳床の裁断装置１０の別の実施例の概略を模式的に示す部分拡大上面図である。
【００９１】
この実施例の畳床の裁断装置１０は、図１〜図５に示した畳床の裁断装置１０と基本的には同様な構成であり、同一の構成部材には、同一の参照番号を付して、その詳細な説明を省略する。
【００９２】
この実施例の畳床の裁断装置１０では、図６に示したように、垂直裁断刃１４が、少なくとも二重の垂直裁断刃１４（この実施例では、二枚の垂直裁断刃１４ａ、１４ｂ）から構成されている。
【００９３】
そして、図６に示したように、隣接する垂直裁断刃１４ａの回転方向Ｅと、垂直裁断刃１４ａの回転方向Ｆが、相互に反対方向に回転するように構成されている。もちろん、図６に示した回転方向Ｅと回転方向Ｆは、それぞれ図６に図示した回転方向と逆方向の回転とすることも可能である。
【００９４】
このように構成することによって、垂直裁断刃１４が、少なくとも二重の垂直裁断刃１４（この実施例では、二枚の垂直裁断刃１４ａ、１４ｂ）から構成されている。
【００９５】
また、隣接する垂直裁断刃（この実施例では、垂直裁断刃１４ａ、１４ｂ）の回転方向が、相互に反対方向（この実施例では、Ｅ方向とＦ方向）に回転するように構成されているので、裁断（切断）能力に優れ、垂直裁断刃１４（１４ａ、１４ｂ）による垂直方向の裁断（切断溝（垂直溝１０８ａ））が奇麗な垂直面１０８となり、畳床１００の垂直面１０８に凹凸が生じず、裁断後の畳床１００に藺草を折り曲げ、縫着する際に、支障をきたすことがなく、製品の品質、価値が低下することがない。
【００９６】
なお、この実施例では、二重の垂直裁断刃１４（この実施例では、二枚の垂直裁断刃１４ａ、１４ｂ）から構成したが、少なくとも二重の垂直裁断刃１４から構成すれば良く、３枚以上であっても良い。
（実施例３）
【００９７】
図７は、本発明の畳床の裁断装置１０の別の実施例の概略を模式的に示す図１と同様な正面図である。
【００９８】
この実施例の畳床の裁断装置１０は、図１〜図５に示した畳床の裁断装置１０と基本的には同様な構成であり、同一の構成部材には、同一の参照番号を付して、その詳細な説明を省略する。
【００９９】
この実施例の畳床の裁断装置１０では、図７に示したように、垂直裁断刃１４が、畳床１００に対して離接する方向（Ｇ方向）に移動可能に構成されている。
【０１００】
このように構成することによって、図７に示したように、垂直裁断刃１４が、畳床１００に対して離接する方向に移動可能に構成されているので、厚みの厚い畳を製造する場合には、畳床１００に対して接近する方向に移動することにより、図４（Ｃ）に示したように、垂直裁断刃１４により切断される垂直面の長さ（深さ）ｈを大きくすることができ、厚みの厚い畳を製造するのに適用することができる。
【０１０１】
一方、厚みの薄い畳を製造する場合には、畳床１００に対して離反する方向に移動することにより、垂直裁断刃１４により切断される垂直面１０８の長さ（深さ）ｈを小さくすることができ、厚みの薄い畳を製造するのに適用することができる。
【０１０２】
従って、本発明の畳床の裁断装置１０一台で、厚みの厚い畳から厚みの薄い畳まで、畳床１００の裁断を行うことができ、汎用性が増大する。
（実施例４）
【０１０３】
図８は、本発明の畳床の裁断装置１０の別の実施例の概略を模式的に示す図１と同様な正面図である。
【０１０４】
この実施例の畳床の裁断装置１０は、図１〜図５に示した畳床の裁断装置１０と基本的には同様な構成であり、同一の構成部材には、同一の参照番号を付して、その詳細な説明を省略する。
【０１０５】
この実施例の畳床の裁断装置１０では、図８に示したように、垂直裁断刃１４が、畳床１００の框１０２側の裁断方向Ａにおいて、複数個（この実施例では、２個の垂直裁断刃１４ｃ、１４ｄ）離間して配置されている。
【０１０６】
このように構成することによって、垂直裁断刃１４が、畳床１００の框１０２側の裁断方向Ａにおいて、複数個（この実施例では、２個の垂直裁断刃１４ｃ、１４ｄ）離間して配置されているので、複数の垂直裁断刃１４（１４ｃ、１４ｄ）で垂直方向の裁断がなされるので、裁断（切断）能力に優れ、垂直裁断刃１４（１４ｃ、１４ｄ）による垂直方向の裁断（切断溝（垂直溝１０８ａ））が奇麗な垂直面１０８となり、畳床１００の垂直面１０８に凹凸が生じず、裁断後の畳床１００に藺草を折り曲げ、縫着する際に、支障をきたすことがなく、製品の品質、価値が低下することがない。
【０１０７】
なお、この実施例では、垂直裁断刃１４が、畳床１００の框１０２側の裁断方向Ａにおいて、複数個（この実施例では、２個の垂直裁断刃１４ｃ、１４ｄ）離間して配置されているが、少なくとも２個の垂直裁断刃１４から構成すれば良く、３個以上であっても良い（以下の実施例５においても同様である）。
（実施例５）
【０１０８】
図９は、本発明の畳床の裁断装置１０の別の実施例の概略を模式的に示す部分拡大上面図、図１０は、本発明の畳床の裁断装置によって畳床を裁断する状態を説明する図４と同様な畳床の部分拡大断面図である。
【０１０９】
この実施例の畳床の裁断装置１０は、図８に示した畳床の裁断装置１０と基本的には同様な構成であり、同一の構成部材には、同一の参照番号を付して、その詳細な説明を省略する。
【０１１０】
この実施例の畳床の裁断装置１０では、図１〜図５、図９に示したように、複数個離間して配置され垂直裁断刃（この実施例では、２個の垂直裁断刃１４ｃ、１４ｄ）が、畳床１００の框１０２側の裁断方向Ａにおいて、上流側に配置された垂直裁断刃１４ｃよりも、下流側に配置された垂直裁断刃１４ｄが、畳床１００側（内側）に配置されている。
【０１１１】
このように構成することによって、複数個離間して配置され垂直裁断刃（この実施例では、２個の垂直裁断刃１４ｃ、１４ｄ）が、畳床１００の框１０２側の裁断方向Ａにおいて、上流側に配置された垂直裁断刃１４ｃよりも、下流側に配置された垂直裁断刃１４ｄが、畳床１００側に配置されているので、図１０に示したように、上流側に配置された垂直裁断刃１４（垂直裁断刃１４ｃ）で切断された垂直切断面１０８ｂを、さらに、下流側に配置された垂直裁断刃１４（垂直裁断刃１４ｄ）で切断するようになる。
【０１１２】
これにより、垂直切断面１０８ｂを、上流側に配置された垂直裁断刃１４（１４ｃ）として、チップソーを用いて形成し、さらに、仕上げ寸法とするための仕上げのための裁断を、下流側に配置された垂直裁断刃１４（１４ｄ）として、八角刃を用いて、仕上げ切断を行うことができる。
もちろん、垂直裁断刃１４ｄを、チップソーを用いて仕上げ裁断を行う構成としても良い。
【０１１３】
従って、図１０に示したように、上流側に配置された垂直裁断刃１４（垂直裁断刃１４ｃ）で切断された垂直切断面１０８ｂを、さらに、下流側に配置された垂直裁断刃１４（垂直裁断刃１４ｄ）で切断するので、裁断（切断）能力に優れ、垂直裁断刃１４による垂直方向の裁断が奇麗な垂直面１０８ｃとなり、畳床１００の垂直面１０８に凹凸が生じず、裁断後の畳床１００に藺草を折り曲げ、縫着する際に、支障をきたすことがなく、製品の品質、価値が低下することがない。
【０１１４】
これにより、垂直裁断刃１４による垂直方向の裁断が奇麗な垂直面１０８となり、畳床１００の垂直面１０８に凹凸が生じず、裁断後の畳床１００に藺草を折り曲げ、縫着する際に、支障をきたすことがなく、製品の品質、価値が低下することがない。
【０１１５】
なお、図８に示した実施例４の畳床の裁断装置１０、図９に示した実施例４の畳床の裁断装置１０では、図２において、小間中Ｂや切断ラインＤにおいては、下流側に配置された垂直裁断刃１４ｄによって、仕上げ寸法となるように裁断している。
このため、上流側に配置された垂直裁断刃１４ｃが、図２において、小間中Ｂや切断ラインＤよりも、畳床１００を小さくするように切断してしまうことがある。
【０１１６】
そのため、図示しないが、垂直裁断刃１４ｄを、水平方向へ（すなわち、畳床１００の垂直面１０８に対して離接する方向に）移動可能な構造として、仕上げ寸法よりも小さくならないように調整できる構成としておくことが望ましい。
この代わりに、図２において、小間中Ｂや切断ラインＤの裁断においては、下流側に配置された垂直刃１４ｄのよる裁断位置が、仕上げ寸法となるような基準になるように、移動機構１２の位置制御を行うようにしても良い。
【０１１７】
以上、本発明の好ましい実施の態様を説明してきたが、本発明はこれに限定されることはなく、例えば、上記実施例では、畳床１００の裁断方向Ａにおいて、畳床の裁断装置の図示しないフレームに対して、畳床１００の裁断方向Ａに移動可能な移動機構１２を備えるように構成したが、移動機構１２を移動不能（固定）にして、畳床１００を載置する載置台の方を、移動するようにして裁断することも可能であるなど本発明の目的を逸脱しない範囲で種々の変更が可能である。
【産業上の利用可能性】
【０１１８】
本発明は、例えば、縁無し畳、縁付き畳などの畳に用いる畳床の裁断方法、および、畳床の裁断装置に適用することができる。
【０１１９】
より詳細には、本発明は、特に、畳を敷き詰める部屋の敷居の形状に応じて、畳床の框側を上面視で、くの字状、または、逆くの字状に凸凹形状に、かつ、畳床を断面視で、上方を鉛直方向に垂直面で、下方を内側に傾斜した傾斜面で、畳床を裁断するための畳床の裁断方法、および、畳床の裁断装置に適用することができる。
【符号の説明】
【０１２０】
１０    畳床の裁断装置
１２    移動機構
１４    垂直裁断刃
１４ａ〜１４ｄ    垂直裁断刃
１６    傾斜裁断刃
２４    畳床押さえ部材
１００    畳床の裁断装置
１００ａ    下前側
１００ｂ    上前側
１０１    鉛直仮想線
１０２    框
１０２ａ    一方側
１０２ｂ    他方側
１０８    垂直面
１１２    傾斜面
１１４    畳床押さえ部材
１２０    インシュレーションボード
１２２    アルミ板
１２４    不織布
２００    畳床の裁断装置裁断装置
２０２    移動機構
２０４    垂直裁断刃
２０６    傾斜裁断刃
２１４    畳床押さえ部材
Ａ    裁断方向
Ｂ    小間中
Ｃ    切断ライン
Ｄ    切断ライン
Ｅ    回転方向
Ｆ    回転方向
Ｐ    傾斜裁断の上端位置
Ｑ    最終裁断寸法位置
Ｒ    傾斜裁断の上端位置
α    傾斜角度
【図１】
2019025590.tif 000003
【図２】
2019025590.tif 000004
【図３】
2019025590.tif 000005
【図４】
2019025590.tif 000006
【図５】
2019025590.tif 000007
【図６】
2019025590.tif 000008
【図７】
2019025590.tif 000009
【図８】
2019025590.tif 000010
【図９】
2019025590.tif 000011
【図１０】
2019025590.tif 000012
【図１１】
2019025590.tif 000013
【図１２】
2019025590.tif 000014
【図１３】
2019025590.tif 000015
【図１４】
2019025590.tif 000016
【図１５】
2019025590.tif 000017
【図１６】
2019025590.tif 000018
【図１７】
2019025590.tif 000019
【図１８】
2019025590.tif 000020